(57)【要約】【課題】収納物の名称や属性，ロット番号，バーコード等の情報が表示されたカードを抜き差し自在に保持するための合成樹脂からなるカード差しであって、運搬用容器にカードを常に確実にうまく抜き差しできる状態に取付でき、不良品が出ないようにする。【解決手段】合成樹脂からなるカード保持部１の下辺の長手基板２を運搬用容器１０の側壁外面に形成されたフランジ１１の上面に密着状に固定させる固着手段を設けるとともに、該長手基板の下面に一体に突片７を形成し該突片を前記フランジの上面に当接させることで該長手基板に部分的に所要の捻りを加えカード保持部の姿勢を制御し得るようにした。【選択図】図５
2005206179.tif 000002
【特許請求の範囲】
【請求項１】
合成樹脂からなるカード保持部の下辺の長手基板を運搬用容器の側壁外面に形成されたフランジの上面に密着状に固定させる固着手段を設けるとともに、該長手基板の下面に一体に突片を形成し該突片を前記フランジの上面に当接させることで該長手基板に部分的に所要の捻りを加えカード保持部の姿勢を制御し得るようにしたことを特徴とするカード差し。
【請求項２】
突片を長手基板の略外端部に設けたことを特徴とする請求項１に記載のカード差し。
【発明の詳細な説明】
【技術分野】
【０００１】
本発明は、運搬用容器に取り付けられその収納物の名称や属性，ロット番号，バーコード等の情報が表示されたカードを抜き差し自在に保持するための合成樹脂製のカード差しに関するものである。
【背景技術】
【０００２】
収納物の名称や属性，ロット番号，バーコード等の情報が表示されたカードを運搬用容器の外側面に抜き差し自在に保持できるようにするカード差しは、例えば下記特許文献１に示されたように、運搬用容器の側壁外面に一体に形成されたフランジに固着される。そして、合成樹脂の弾性によってカード保持部を運搬用容器の外側面に圧着させることによりカードが脱落せず保持されるようにしている。
【０００３】
また、下記特許文献２に示されたように、上面が開口した額縁状乃至はポケット状にカード保持部を形成し、カードを抜き差しできるようにしたものも知られている。
【特許文献１】実公平４−９３２３号公報
【特許文献２】特開２００２−２３４５４４号公報
【発明の開示】
【発明が解決しようとする課題】
【０００４】
ところで、上記のように運搬用容器の側壁外面に一体に形成されたフランジに固着する構造のカード差しでは、カード保持部を運搬用容器の外側面に弾性的に密着させるための密着力が得られるように弾性合成樹脂により所定形状に成形されているが、そのために運搬用容器に取り付けた際、カード保持部の下辺の長手基板が無用に捻れた状態になり、ポケットを形成する前板までが捻れて該ポケットの上端開口幅が一定にならず、或いは額縁の両側縁までが捻れ、カードをうまく抜き差しできない状態となることがあった。
【０００５】
本発明は上記欠点を解消し、カードが常にうまく抜き差しできる状態で運搬用容器に取り付けられるカード差しを提供しようとするものである。
【課題を解決するための手段】
【０００６】
そのために請求項１に記載のカード差しの発明は、合成樹脂からなるカード保持部の下辺の長手基板を運搬用容器の側壁外面に形成されたフランジの上面に密着状に固定させる固着手段を設けるとともに、該長手基板の下面に一体に突片を形成し該突片を前記フランジの上面に当接させることで該長手基板に部分的に所要の捻りを加えカード保持部の姿勢を制御し得るようにしたことを特徴とする。
また、請求項２に記載の発明は、上記カード差しにおいて、突片を長手基板の略外端部に設けたことを特徴とする。
【０００７】
このため、突片によってカード保持部の姿勢が所望に制御され、該カード保持部を所期の状態で運搬用容器の側壁外面に密着させられる。
【発明の効果】
【０００８】
運搬用容器にカード差しを取り付けたとき、カード差しが異常な形態に捻れて取り付けられることなく、カードを常に確実に抜き差しできる状態に取付できる。
【実施例１】
【０００９】
図１〜図４は本発明のカード差しの一実施例を示すものである。このカード差しは、カード保持部１が両側辺１ａ，１ｂと下辺とからなる額縁状に形成され、その上面は開放状となっている。そして該カード保持部１の下辺である長手基板２上に枠状の前板３と前板４を夫々一体に立設することにより上面が開口したポケット状に形成され、該前板３および前板４の上縁部３ａ，４ａは該開口からのカード挿入を容易にするため上端縁が前方に反った形状に形成される。なお、５は該前板３の裏面との間にカードの挿入間隔ができるよう前板３の後側で長手基板２上に立設した背板で、該背板は上端縁５ａが後方に反った形状に形成されている。
【００１０】
また、上記長手基板２には運搬用容器の側壁外面に形成されたフランジ上面への固着手段として、該長手基板２の下面の略中間部の２個所に所定間隔をおいて図３に示したようにクサビ状の係合片６を一体に突設している。また、該長手基板２の両端部の下面前縁に適宜高さの突片７を一体に形成している。
【００１１】
一方、図５に示したように、運搬用容器１０の側壁外面に形成されたフランジ１１に前記係合片６が嵌入し得る透孔１２を形成するとともに、該側壁外面のフランジ１１上面より少し離間した位置に適宜間隔で３つの突起１３が形成されている。なお、１４はフランジ１１の上面で透孔１２の両外方位置に突設されたリブである。
【００１２】
このカード差しを運搬用容器１０に取り付けるに際しては、図６，図７に示されるように、長手基板２の下面の係合片６を透孔１２に嵌入させ、該長手基板２の後側縁の上面上に突起１３を係合させる。これによって長手基板２はフランジ１１の上面に密着状に固着されるが、該長手基板２の両端部の下面前縁に形成された突片７が該フランジ１１の上面に当接することから、該長手基板２の両端部だけは、図８に示したように、該運搬用容器１０の側壁側に少し傾斜状に捻れた取付状態となる。このため、カード保持部１の両側辺１ａ，１ｂは該運搬用容器１０の側壁外面に少し圧着した状態で取り付けられる。一方、長手基板２の中間部は突片７による捻れの影響を受けないことから、該中間部に立設された前板３，４および背板５は該運搬用容器１０の側壁側に傾斜することなく樹立する。このため図８に示したように一定の間隔ｇが確保され、カードｃを常にうまく抜き差しできる状態で取り付けられる。
【実施例２】
【００１３】
一方、図９〜図１３は、カード差しの他の実施例を示すもので、この実施例では、カード保持部１の下辺と平行に該下辺よりも若干短い長手基板２を連結部１５を介して一体に形成し、該長手基板の下面にフランジ上面への固着手段となるクサビ状の係合片６を所定間隔をおいて一体に突設するとともに、カード保持部１の下辺の両端部の下面に下方に延びる脚状の突片７を一体に形成している。なお、上記実施例１と同一部分は同一符号を付すことによりその説明を割愛する。そしてこのカード差しでは、実施例１と同様に係合片６を運搬用容器１０のフランジ１１に開設された透孔１２に嵌入させ、該長手基板２の後側縁の上面上に突起１３を係合させることにより、図１２に示したように該フランジ１１上面に固着する。そのとき突片７の下端部がフランジ１１の上面に当接することで、図１３に示したように該カード保持部１の下辺の両端部のみが運搬用容器１０の側壁側に少し傾斜状に捻れた状態となる。このため、カード保持部１の両側辺１ａ，１ｂは該運搬用容器１０の側壁外面に少し圧着した状態で取り付けられる。一方、中間部は突片７による影響を受けることがないので、実施例１と同様に該運搬用容器１０の側壁表面との間に所期の大きさの開口が形成されカードを常にうまく抜き差しできるようになる。
【産業上の利用可能性】
【００１４】
本発明は、実施例に示したようにカード保持部がポケット状に形成されカードをその上端開口から抜き差しするカード差しの他、運搬用容器の側壁外面にカードを弾性的に挟着する構造のカード差しに適用することも可能である。
【図面の簡単な説明】
【００１５】
【図１】本発明の実施例を示すカード差しの正面図。
【図２】図１のカード差しの右側面図。
【図３】図１のカード差しのＡ−Ａ線断面図。
【図４】図１のカード差しのＢ−Ｂ線断面図。
【図５】図１のカード差しおよび運搬用容器の斜視図。
【図６】図１のカード差しの取付時の斜視図。
【図７】図６のＣ−Ｃ線断面図。
【図８】図６のＤ−Ｄ線断面図。
【図９】本発明の他の実施例を示すカード差しの正面図。
【図１０】図９のカード差しの右側面図。
【図１１】図９のカード差しの斜視図。
【図１２】図９のカード差しの取付時の斜視図。
【図１３】図１２のＥ−Ｅ線断面図。
【符号の説明】
【００１６】
１      カード保持部
２      長手基板
６      係合片
７      突片
１０    運搬用容器
１１    フランジ
１２    透孔
１３    突起
ｃ      カード
【図１】
2005206179.tif 000003
【図２】
2005206179.tif 000004
【図３】
2005206179.tif 000005
【図４】
2005206179.tif 000006
【図５】
2005206179.tif 000007
【図６】
2005206179.tif 000008
【図７】
2005206179.tif 000009
【図８】
2005206179.tif 000010
【図９】
2005206179.tif 000011
【図１０】
2005206179.tif 000012
【図１１】
2005206179.tif 000013
【図１２】
2005206179.tif 000014
【図１３】
2005206179.tif 000015